(57)【要約】【課題】充填された液体等内容物の自重による胴ぶくれを防止した箱型容器を提供する。【解決手段】一表面又は両表面に合成樹脂をラミネートした紙基材を用いた箱型容器において、内容物充填後の自重により起こる変形に抗し得る方向にリブ構造１ａを設けたことを特徴とする箱型容器。【選択図】　　　　図２
2004042948.tif 000002
【特許請求の範囲】
【請求項１】
一表面又は両表面に合成樹脂をラミネートした紙基材を用いた箱型容器において、内容物充填後の自重により起こる変形に抗し得る方向にリブ構造を設けたことを特徴とする箱型容器。
【請求項２】
箱型容器が縦長の形状からなり、自重により起こる変形に抗し得る方向のリブ構造を横方向に設けた請求項１記載の箱型容器。
【請求項３】
自重により起こる変形に抗し得るリブ構造が波形である請求項１又は２記載の箱型容器。
【請求項４】
合成樹脂をラミネートした紙基材が、原紙と原紙との間に介挿された合成樹脂により積層されてなる積層体の一表面又は両表面が合成樹脂によりラミネートされた多層の紙基材である請求項１〜３のいずれか１項に記載の箱型容器。
【請求項５】
内容物が液体である請求項１〜４のいずれか１項に記載の箱型容器。
【発明の詳細な説明】
【０００１】
【発明の属する技術分野】
本発明は合成樹脂をラミネートした紙基材を用いた箱型容器に関し、更に詳しくは、内容物充填後の自重により起こる変形を防止し得る箱型容器に関する。
【０００２】
【従来の技術】
飲料水、酒類、調味料をはじめ牛乳、果汁類などの多くの食用の液体類及び工業用の液体類は、合成樹脂をラミネートした紙基材を用いた箱型の容器に充填して用いられている。近年、容器が大型化するに従い、液体充填後の自重が大きくなり、且つ保管の便利さを考え縦長の箱型が多くなり、底面近くの周辺部に大きな自重が加わるようになってきた。このため、底面近くの周辺部が変形し、所謂「胴ぶくれ」の状態を呈する。この胴ぶくれは外観を悪くし、商品価値を低下させるばかりでなく、保管上も不都合であり、例えば、冷蔵庫内の所定の場所に収納したり、取り出すことが難くなるという問題を含んでいる。
【０００３】
この胴ぶくれを避けるために、良質の坪量３３０ｇ／ｍ２　前後の厚手原紙が使用されている。この原紙は白板紙と称される部類で針葉樹のバージンパルプであって、別名ミルクカートン原紙と分類され、国産品は少なく輸入品に頼っている。従って、国際市況や国際情勢等によって価格や輸入量が変動し易く、安価且つ安定的に供給されないおそれがあり、また省資源の面でも問題がある。
【０００４】
【発明が解決しようとする課題】
本発明は係る実情に鑑み、安価な原紙又は従来使用の厚手の坪量よりも薄手の原紙によっても自重による変形を防止した箱型の容器を安定的に提供し、省資源を図るとともにコストを削減せんとするものである。
【０００５】
【課題を解決するための手段】
本発明者らは上記課題を解決せんとして鋭意研究の結果、内容物充填後の自重により起こる変形に抗し得る方向にリブ構造を設けることにより所期の目的が達成されることを見い出し、本発明に到達した。
【０００６】
即ち、本発明の請求項１は、一表面又は両表面に合成樹脂をラミネートした紙基材を用いた箱型容器において、内容物充填後の自重により起こる変形に抗し得る方向にリブ構造を設けたことを特徴とする箱型容器を内容とする。
【０００７】
本発明の請求項２は、箱型容器が縦長の形状からなり、自重により起こる変形に抗し得る方向のリブ構造を横方向に設けた請求項１記載の箱型容器を内容とする。
【０００８】
本発明の請求項３は、自重により起こる変形に抗し得るリブ構造が波形である請求項１又は２記載の箱型容器を内容とする。
【０００９】
本発明の請求項４は、合成樹脂をラミネートした紙基材が、原紙と原紙との間に介挿された合成樹脂により積層されてなる積層体の一表面又は両表面が合成樹脂によりラミネートされた多層の紙基材である請求項１〜３のいずれか１項に記載の箱型容器を内容とする。
【００１０】
本発明の請求項５は、内容物が液体である請求項１〜４のいずれか１項に記載の箱型容器を内容とする。
【００１１】
【発明の実施の形態】
本発明において、紙基材に用いられる原紙は、通常のミルクカートン原紙の坪量３１０ｇ／ｍ２　〜３３０ｇ／ｍ２　よりは薄手の原紙を使用するか、又はミルクカートン原紙よりは低コストの原紙を使用する場合に特に有効である。その例として、ミルクカートン原紙でない坪量１５０ｇ／ｍ２　以上の原紙を用いて、該原紙の間に合成樹脂を介在させて積層・多層化した合わせ原紙からなる紙基材が有効である。原紙と原紙との間に介在させる合成樹脂としては、ポリオレフィン系やポリエステル系樹脂等が好適である。
【００１２】
本発明における紙基材は、一表面又は両表面が合成樹脂によりラミネートされる。紙基材にラミネートされる合成樹脂には、ポリエチレンやポリプロピレンをはじめとするポリオレフィン類、ポリエチレンテレフタレートやその変形ポリエステル類、ナイロン類、等が挙げられる。更に、遮光性やガス遮断性を必要とする場合にはアルミ箔やアルミ蒸着フィルム又はガスバリヤー性フィルム等が積層された多層の基材が使用される。
一般的に箱型の容器は、屋根型のゲーブルトップタイプと平型のブリックタイプ等があるが、本発明はいずれのタイプにも適用できる。紙基材の一表面に合成樹脂をラミネートした場合は、ラミネート面が内面を構成するように容器が形成される。
【００１３】
本発明において、箱型容器に充填される内容物は、飲料水、酒類、醤油、酢、ミリン、ソース等の調味料、牛乳、果汁、ジュース等の食用の他、工業用の液体類、塩、砂糖、穀類等の粉体や粒状体等が挙げられるが、特に液体が好適である。
【００１４】
容器に内容物が充填されると自重により変形が起こる。この変形は箱型容器を組み立てた場合に、底部は底面により固定されているので変形は少ないが、底部より少し上部における周辺部の変形が大きい。この変形を箱型容器の底面と平行な面で切った断面図で見ると、正方形又は長方形が変形とともに四角が円弧状に膨出し円形に近づいてゆくのがわかる。従って、これに抗するためには、円弧状の部分を直線状に近く保つためにリブを設けると、この変形をかなり防ぐことができる。即ち、リブ構造を設ける方向は、箱型容器を立てた場合に縦の方向とは直交した横の方向が最も有効であるが、要すれば、縦、横碁盤のリブ構造も有効である。
【００１５】
リブ構造は直線的であるのが有効であるが、曲線であっても差し支えない。また、リブ構造を設けるのは容器の内層側でも外層側でも良いが、美観上からは内層側のみに設けるのが好ましい。一方の側にリブ構造を設ける場合は、この面にリブに相当する構造物、例えば紙、合成樹脂等からなる棒状体を設けることができる。棒状体は紙基材の製造時に設けてもよいし、また製造された紙基材に後加工により接着等により設けてもよい。この方法は、工数が増加するため加工上又はコスト上難点となる可能性がある。
【００１６】
これに対して、波形のリブ構造を設けることは極めて有効である。この場合には容器の組み立て前の展開図に相当する、ブランクスを打ち抜き加工する時の工程で同時に型付けできるので加工が容易であり、安価である。
【００１７】
リブ構造の断面は特に限定されず、円形、楕円形、半円形、半楕円形、角形、コの字形、三角形、台形等のいずれでもよい。
リブ構造は、容器の最も変形の大きい個所に設けるのが有効である。一般には、底部より少し上方に設けられる。リブ構造の本数やリブの太さ等は所望の抗変形力に応じて適宜決定される。リブ構造は、デザイン上、等間隔又は不等間隔のいずれでもよく、また周期的に設けてもよい。更には、変形が大きくなる下方になるに従って、リブを太くしたり、リブの数を増やすこともできる。リブ構造は、容器の全体に設けることもできる。
【００１８】
【実施例】
以下、実施例に基づいて本発明を更に詳細に説明するが、本発明は実施例のみに限定されるものではない。
【００１９】
実施例１
坪量１５０ｇ／ｍ２　のさらし用紙２枚の間にポリエチレン２０μｍで重ね合わせ、紙基材を作製し、次いで、この内面をポリエチレン３０μｍ、外面を同２０μｍでラミネートした。得られた紙基材を用い、図１に示すように、底面が縦、横とも７０ｍｍの正方形で高さが１９５ｍｍのゲーブルトップ型のブランクスを打ち抜いた。この時、底面より６０ｍｍから１２０ｍｍまでの高さの位置に幅３ｍｍ、高さ３ｍｍの台形様のリブを図示するように６本、型で押し付けてリブ構造１ａを形成させ、図２に示す如き箱型容器を組み立てた。
得られた箱型容器１０００ｍｌの水を入れ、上部の屋根型で封じて一昼夜放置した後、容器のふくらみ具合を調べた。容器の最もふくらんだ個所は一辺が７２ｍｍであった。
【００２０】
比較例１
６本のリブ構造を形成させなかった他は実施例１と同様にして箱型容器を組み立て、同様のテストを行った。容器の最もふくらんだ個所は一辺が７８ｍｍであった。
【００２１】
実施例２
台形様のリブからなる波形状のリブ構造１ａを、図３に示す如き円弧様のリブからなる波形状のリブ構造１ｂに変更した他は実施例１と同様にして箱型容器を得た。容器のふくらみ具合は実施例１の場合と略同じであった。
【００２２】
【発明の効果】
叙上のとおり、本発明によれば、自重による変形を防止した箱型容器が提供され、変形による商品価値の低下及び冷蔵庫や収納庫等への収納性や取出性の悪化を防止することができる。また、リブ構造により滑りが防止され、把持し易いという利点もある。
【００２３】
また、薄手の原紙を合成樹脂により積層した紙基材を使用する場合は、従来の主として輸入に依存する良質の厚手の原紙を必要とせず、従って、国際市況や国際情勢等に影響されず安価且つ安定的に箱型容器を提供することができ、また省資源にも奉仕することができる。
【図面の簡単な説明】
【図１】ゲーブルトップ型箱型容器の打ち抜きブランクスの展開図である。
【図２】本発明の箱型容器の実施例を示す斜視図である。
【図３】本発明の箱型容器の他の実施例を示す斜視図である。
【符号の説明】
１ａ、１ｂ　リブ構造
２　組立のための折り線
【図１】
2004042948.tif 000003
【図２】
2004042948.tif 000004
【図３】
2004042948.tif 000005